(57)【要約】【課題】より優れたシール性を備えた建具を提供する。【解決手段】２つの空間を連通する開口を形成する枠体と、前記枠体に回動自在に支持されて前記開口を開閉可能な少なくとも１枚のパネル体と、前記枠体と前記パネル体の間をシールし弾性を有するシール部材と、を備え、前記パネル体が、前記２つの空間のうちの一方の空間側に突出するように回動して前記開口が開かれ、前記枠体と前記パネル体のうちのいずれか一方が、前記パネル体の回動中心に対して前記２つの空間のうちの他方の空間側にて前記シール部材と係合する突起を有し、前記シール部材は、前記枠体と前記パネル体のうちの他方に、前記突起に対して前記他方の空間側に固定され、前記開口を閉じたときに前記突起に対して前記一方の空間側にて前記突起と当接する。【選択図】図２
2014152509.tif 000002
【特許請求の範囲】
【請求項１】
２つの空間を連通する開口を形成する枠体と、
前記枠体に回動自在に支持されて前記開口を開閉可能な少なくとも１枚のパネル体と、
前記枠体と前記パネル体の間をシールし弾性を有するシール部材と、
を備え、
前記パネル体が、前記２つの空間のうちの一方の空間側に突出するように回動して前記開口が開かれ、
前記枠体と前記パネル体のうちのいずれか一方が、前記パネル体の回動中心に対して前記２つの空間のうちの他方の空間側にて前記シール部材と係合する突起を有し、
前記シール部材は、前記枠体と前記パネル体のうちの他方に、前記突起に対して前記他方の空間側に固定され、前記開口を閉じたときに前記突起に対して前記一方の空間側にて前記突起と当接することを特徴とする建具。
【請求項２】
請求項１に記載の建具であって、
前記開口を閉じたときに、前記シール部材は当該シール部材の固定部から離れる方向に前記突起により付勢されつつ係合することを特徴とする建具。
【請求項３】
請求項１または請求項２に記載の建具であって、
前記枠体は、前記開口を閉じたときの前記枠体と前記パネル体との間隙の見付け方向の幅より広い幅を有して前記開口の中央側に突出する突出片を、前記パネル体の前記他方の空間側に備え、
前記シール部材は、前記突出片の先端側に固定されて見込み方向に延出された延出部を有し、
見付け方向において前記延出部より、前記突出片が設けられている前記枠体側にて前記突起と係合することを特徴とする建具。
【請求項４】
請求項３に記載の建具であって、
前記シール部材は、前記突起と係合する係合部と、前記係合部と前記延出部との間に、前記突起を有する部材の表面に当接される表面当接部と、を有していることを特徴とする建具。
【請求項５】
請求項４に記載の建具であって、
前記表面当接部は、前記延出部の側部に設けられており、前記延出部の先端は、前記表面当接部より前記開口の中央側にて前記突起を有する部材の表面に当接されていることを特徴とする建具。
【請求項６】
請求項３乃至請求項５のいずれかに記載の建具であって、
前記シール部材の、前記突出片に固定されている部位は、当該シール部材の他の部位より、硬質であることを特徴とする建具。
【発明の詳細な説明】
【技術分野】
【０００１】
本発明は、枠体が形成する開口を開閉可能なパネル体を備えた建具に関する。
【背景技術】
【０００２】
枠体が形成する開口を開閉可能なパネル体を備えた建具としては、例えば、ドア枠の開口部を開閉するドアがヒンジによって回動自在に支持された建具が知られている。このような建具の中には、ドア枠の縦枠に、ドアの縦框をなす円弧状外周面に弾性接触するシール部材が設けられているものがある（例えば、特許文献１参照）。
【先行技術文献】
【特許文献】
【０００３】
【特許文献１】特開２００３−２６９０５５号公報
【発明の概要】
【発明が解決しようとする課題】
【０００４】
上記のような建具のシール部材は、当該シール部材が備える弾性によりドアの円弧状外周面に常に押圧されるような状態にて接触されている。このため、経時変化により、シール部材にへたりや塑性変形が生じる場合があり、シール部材がドアの円弧状外周面から離れてしまうことによりシール性が低下するおそれがある。また、建具が浴室の出入口に用いられる場合には、浴室内外の温度差によりドアに反りが生じることにより、シール部材とドアの円弧状外周面とがさらに離れて隙間が生じ、シール性が更に低下してしまうおそれがあるという課題がある。
【０００５】
本発明は、かかる課題に鑑みてなされたものであり、その目的とするところは、より優れたシール性を備えた建具を提供することにある。
【課題を解決するための手段】
【０００６】
かかる目的を達成するために本発明の建具は、２つの空間を連通する開口を形成する枠体と、前記枠体に回動自在に支持されて前記開口を開閉可能な少なくとも１枚のパネル体と、前記枠体と前記パネル体の間をシールし弾性を有するシール部材と、を備え、前記パネル体が、前記２つの空間のうちの一方の空間側に突出するように回動して前記開口が開かれ、前記枠体と前記パネル体のうちのいずれか一方が、前記パネル体の回動中心に対して前記２つの空間のうちの他方の空間側にて前記シール部材と係合する突起を有し、前記シール部材は、前記枠体と前記パネル体のうちの他方に、前記突起に対して前記他方の空間側に固定され、前記開口を閉じたときに前記突起に対して前記一方の空間側にて前記突起と当接することを特徴とする建具である。  
このような建具によれば、枠体とパネル体のうちのいずれか一方に設けられた突起と他方に設けられたシール部材とが、開口を開く際にパネル体が回動して突出する一方の空間側と、回動中心に対して反対の他方の空間側にて係合するので、シール部材または突起はパネル体が回動される際に枠体とパネル体との間から離れる方向に移動する。すなわち、シール部材または突起は枠体とパネル体との間には入り込まないので、枠体とパネル体の間をより狭く配置することが可能である。
【０００７】
また、シール部材は、突起に対して、２つの空間のうちの他方の空間側に固定され、開口を閉じたときに、突起に対して２つの空間のうちの一方の空間側にて突起と当接するので、単に枠体またはパネル体に接触しているだけでなく、突起に対して一方の空間側に固定されて他方の空間側にて突起に当接される。すなわち、シール部材は、突起に対して他方の空間側から一方の空間側に回り込むように配置されて当接されるので、たとえ経時変化等によりシール部材にへたりや変形が生じても枠体またはパネル体から離れにくい。よって、より優れたシール性を備えた建具を提供することが可能である。
【０００８】
かかる建具であって、前記開口を閉じたときに、前記シール部材は当該シール部材の固定部から離れる方向に前記突起により付勢されつつ係合することが望ましい。  
このような建具によれば、開口を閉じたときには、シール部材の固定部から離れる方向にシール部材は突起により付勢されつつ係合されているので、開口が閉じられた状態では、突起によりシール部材が引っ張られるように付勢されて係合されている。このため、より確実に係合されるのでより高いシール性を備えることが可能である。また、開口を閉じた状態では、シール部材が突起と係合して引っ張られた状態が維持されているので、シール部材に突起が設けられている部材から離れる方向に変形が生じることを抑えることが可能である。
【０００９】
かかる建具であって、前記枠体は、前記開口を閉じたときの前記枠体と前記パネル体との間隙の見付け方向の幅より広い幅を有して前記開口の中央側に突出する突出片を、前記パネル体の前記他方の空間側に備え、前記シール部材は、前記突出片の先端側に固定されて見込み方向に延出された延出部を有し、見付け方向において前記延出部より、前記突出片が設けられている前記枠体側にて前記突起と係合することが望ましい。  
枠体に回動自在に支持されたパネル体と枠体との間には、パネル体が回動する際に摩耗しないように間隙が設けられている場合があるが、上記の建具によれば、枠体に設けられた、枠体とパネル体との間隙の幅より広い幅に突出する突出片の先端側にシール部材が固定されているので、枠体とパネル体との間をより確実にシールすることが可能である。また、シール部材の見込み方向に延出された延出部より枠体側にてシール部材が突起と係合するので、シール部材はより確実に引っ張られた状態にて係合される。このため、開口を閉じたときに、より高いシール性を備える建具を提供することが可能である。
【００１０】
かかる建具であって、前記シール部材は、前記突起と係合する係合部と、前記係合部と前記延出部との間に、前記突起を有する部材の表面に当接される表面当接部と、を有していることが望ましい。  
このような建具によれば、シール部材が固定部側の延出部と、突起と係合される係合部との間に突起を有する部材の表面に当接される表面当接部を有しているので、シール部材は単に突起と係合しているだけでなく、表面当接部にてもシールする。このため、より高いシール性を備えることが可能である。
【００１１】
かかる建具であって、前記表面当接部は、前記延出部の側部に設けられており、前記延出部の先端は、前記表面当接部より前記開口の中央側にて前記突起を有する部材の表面に当接されていることが望ましい。  
このような建具によれば、シール部材は、係合部および表面当接部とは別に、延出部の先端が、表面当接部より開口の中央側にて突起を有する部材の表面に当接されるので、更に高いシール性を備えることが可能である。
【００１２】
かかる建具であって、前記シール部材の、前記突出片に固定されている部位は、当該シール部材の他の部位より、硬質であることが望ましい。  
このような建具によれば、突出片に固定されている部位は他の部位より硬質なので、より確実に固定することが可能であり、他の部位は固定されている部位より軟質なので、突起と係合する係合部、外周面に当接する表面当接部など、係合及び当接される部位に沿わせてより確実に当接させてシール性を向上させることが可能である。
【発明の効果】
【００１３】
本発明によれば、より優れたシール性を備えた建具を提供することが可能である。
【図面の簡単な説明】
【００１４】
【図１】本実施形態に係る建具の外観図である。
【図２】本実施形態に係る建具の横断面図である。
【図３】折戸の開閉時におけるシール部材の状態を示す横断面図である。
【図４】シール部材の第１変形例を示す横断面図である。
【図５】シール部材の第２変形例を示す横断面図である。
【図６】シール部材の第３変形例を示す横断面図である。
【発明を実施するための形態】
【００１５】
以下、本発明の一実施形態に係る建具について図面を参照して説明する。
【００１６】
本実施形態の建具１は、図１に示すように、２つの空間としての浴室と脱衣室との境界に設けられ、浴室と脱衣室とを仕切るパネル体としての折戸２２を備えた浴室用の建具１を例に挙げて説明する。
【００１７】
以下の説明においては、建物等に取り付けられた状態の浴室用の建具１を脱衣室側から見たときに、上下となる方向を上下方向、左右となる方向を左右方向または見付け方向、室内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００１８】
本実施形態の建具１は、枠体１３と、枠体１３内に装着され、蝶番等で折り畳み自在に連結されたパネル体としての２枚の扉１４、１５を有する折戸２２と、を有している。本実施形態では、図１において左側に位置する扉が吊元扉１４をなし、右側に位置する扉が移動扉１５をなしている。
【００１９】
吊元扉１４及び移動扉１５はそれぞれ、透光性を有する樹脂製やガラス製の面材２３を有している。吊元扉１４は、面材２３を囲むように上框１７及び下框１８の両端部側に吊元框２１と縦中框２０とが配置されて矩形状に框組みされている。また、移動扉１５は面材２３を囲むように上框１７及び下框１８の両端部側に戸先框１９と縦中框２０とが配置されて矩形状に框組みされている。
【００２０】
吊元扉１４は、吊元框２１が枠体１３に回動中心Ｏにて回動自在に支持され、吊元側と反対側の連結部側が浴室側に移動することにより折戸２２が畳まれて開口が開かれるように構成されている。このため、浴室と脱衣室の２つの空間のうちの、開口を開く際にパネル体が回動して突出する、一方の空間側は、浴室側に相当し、他方の空間側は、脱衣室側に相当する。
【００２１】
戸先框１９と吊元框２１とには、図２、に示すように、外周面に上下方向における全域にわたって、戸先框１９と吊元框２１が各々対向する枠体１３側に突出する突起１９ａ、２１ａが設けられている。突起１９ａ、２１ａは、戸先框１９及び吊元框２１の外周面１９ｂ、２１ｂに、回動中心Ｏに対して脱衣室側に、外周面１９ｂ、２１ｂから縦中框２０側であって僅かに脱衣室側に向かって凹部１９ｃ、２１ｃが形成されることにより、凹部１９ｃ、２１ｃの脱衣室側の縁が突起１９ａ、２１ａをなしている。このため、突起１９ａ、２１ａは、外周面１９ｂ、２１ｂに沿って設けられている。
【００２２】
枠体１３は、浴室と脱衣室とを連通する開口１３ａを形成し、開口１３ａの上方に位置する上枠１０と、開口１３ａの下側に位置する下枠１１と、開口１３ａの見付け方向における両側に配置され、前述した戸先框１９と吊元框２１が各々対向する左右の縦枠１２とが矩形状に枠組みされている。上枠１０、下枠１１、左右の縦枠１２は、いずれも押出成形部材であり、矩形状に形成された際に開口１３ａの内周側にシール部材３０が開口１３ａを囲むように設けられている。本実施形態においては、吊元扉１４と左の縦枠１２との間、及び、移動扉１５と右の縦枠との間にそれぞれ設けられたシール部材３０を示しているが、上下のシール部材は図示していない。
【００２３】
左右の縦枠１２には、見込み方向に沿う面を形成する枠壁部１２ａから見付け方向において開口１３ａの中央側に突出し、折戸２２を展張した状態で、戸先框１９及び吊元框２１と、回動中心Ｏに対して脱衣室側にて対向する突出片１２ｂを有している。突出片１２ｂは、左右の縦枠１２が有する枠壁部１２ａと戸先框１９及び吊元框２１の先端との間隙の見付け方向における幅ｗより、幅が広くなるように突出されている。左右の突出片１２ｂの先端側には、浴室側に向かって開放され、シール部材３０が嵌合されるシール固定部１２ｃがそれぞれ設けられている。シール固定部１２ｃは、閉じた状態の折戸２２の戸先框１９及び吊元框２１に設けられた突起１９ａ、２１ａの先端より、見付け方向において開口１３ａの中央側に設けられている。
【００２４】
シール部材３０は、シール固定部１２ｃに嵌合される嵌合部３０ａと、嵌合部３０ａと繋がってほぼ見込み方向に延出された延出部３０ｂと、延出部３０ｂの浴室側の端より僅かに脱衣室側の側部３０ｃから嵌合されている縦枠１２側、すなわち見付け方向における開口１３ａの外側に向かい、脱衣室側に膨らむように湾曲する表面当接部としての湾曲部３０ｄと、湾曲部３０ｄの先端にて湾曲部３０ｄとともにＶ字状をなすように延出された係合部３０ｅと、を有している。このとき、湾曲部３０ｄは、戸先框１９及び吊元框２１の外周面１９ｂ、２１ｂに沿うように湾曲し、係合部３０ｅは、湾曲部３０ｄとＶ字状をなすように形成されているので、シール部材３０がシール固定部１２ｃに嵌合されると、係合部３０ｅは先端が、見付け方向より僅かに脱衣室側に向かうように形成されている。
【００２５】
シール部材３０は、シール固定部１２ｃに嵌合された状態を維持する嵌合部３０ａが他の部位、すなわち、延出部３０ｂ、湾曲部３０ｄ、及び、係合部３０ｅよりも硬質な樹脂にて形成されている。図２においては。硬質樹脂の部位をグレーに着色して示している。
【００２６】
シール部材３０は、折戸２２が展張された状態にて、係合部３０ｅが戸先框１９及び吊元框２１の凹部１９ｃ、２１ｃに挿入されて係合部３０ｅが突起１９ａ、２１ａと係合する。このとき、少なくとも係合部３０ｅの脱衣室側の面３０ｆと、突起１９ａ、２１ａの浴室側の面１９ｄ、２１ｄとが当接している。また、係合部３０ｅと延出部３０ｂとの間に位置する湾曲部３０ｄが戸先框１９及び吊元框２１の外周面１９ｂ、２１ｂに当接され、延出部３０ｂの先端３０ｇが、湾曲部３０ｄより見付け方向において開口１３ａの中央側にて戸先框１９及び吊元框２１の外周面１９ｂ、２１ｂに当接されている。このため、吊元扉１４及び移動扉１５が、浴室と脱衣室との温度差により、上下方向における中央側が浴室側に撓むような反りが生じたとしても、係合部３０ｅと突起１９ａ、２１ａとが係合することによりシール部材３０が引っ張られるので、シール部材３０と戸先框１９及び吊元框２１との間に空隙が生じない。
【００２７】
また、折戸２２が展張して開口１３ａが閉じられているときには、シール部材３０が突起１９ａ、２１ａにより係合状態が維持されるように規制されているので、シール部材３０は変形しにくい。特に、本実施形態の建具１に設けられた突起１９ａ、２１ａと繋がった凹部１９ｃ、２１ｃが、見付け方向よりも僅かに脱衣室側に向かって設けられており、シール部材３０の係合部３０ｅも、見付け方向よりも僅かに脱衣室側に向かって形成されているので、単に見付け方向に形成されている場合より強固に係合される。また、吊元扉１４及び移動扉１５に反りが生じた場合には、シール部材３０が引っ張られる状態となるので、高いシール性が確保されるとともに、シール部材３０のへたり等の変形の発生を抑えることが可能である。
【００２８】
そして、折戸２２が畳まれて開口１３ａが開かれる際には、図３に示すように、吊元扉１４及び移動扉１５の回動に伴って係合部３０ｅが凹部１９ｃ、２１ｃの内面から戸先框１９及び吊元框２１の外周面１９ｂ、２１ｂに沿って摺動しつつ接触位置が移動する。また、畳まれている折戸２２が展張されて開口１３ａが閉じられる際には、吊元扉１４及び移動扉１５の回動に伴って係合部３０ｅが戸先框１９及び吊元框２１の外周面１９ｂ、２１ｂに沿って摺動しつつ接触位置が移動して凹部１９ｃ、２１ｃに挿入され、係合部３０ｅが突起１９ａ、２１ａに係合して折戸２２が展張して開口１３ａが閉じられた状態となる。
【００２９】
本実施形態では、突起１９ａ、２１ａが回動中心Ｏより脱衣室側であって、見付け方向において戸先框１９及び吊元框２１の先端よりも開口１３ａの中央側に設けられることにより、シール部材３０の係合部３０ｅが突起１９ａ、２１ａと係合したときに、シール部材３０が、見付け方向において、戸先框１９及び吊元框２１より縦枠１２側に突出しない。このため、係合部３０ｅと突起１９ａ、２１ａとが係合している部位に、浴室側からの水が、縦枠１２と戸先框１９及び吊元框２１との間を通って直接進入しないように構成されている。
【００３０】
本実施形態の建具１によれば、枠体１３が縦枠１２と吊元扉１４及び移動扉１５の間をシールし弾性を有するシール部材３０を有し、吊元扉１４及び移動扉１５が、シール部材３０と係合する突起１９ａ、２１ａを有しており、シール部材３０は、枠体１３に設けられ、開口を開く際に吊元扉１４及び移動扉１５が回動して突出する浴室側と、回動中心に対して反対の脱衣室側にて係合するので、突起１９ａ、２１ａは吊元扉１４及び移動扉１５が回動される際に枠体１３と吊元扉１４及び移動扉１５との間から離れる方向に移動する。すなわち、シール部材３０及び突起１９ａ、２１ａはいずれも枠体１３と吊元扉１４及び移動扉１５の間に入り込まないので、吊元扉１４及び移動扉１５の間をより狭く配置することが可能である。
【００３１】
また、シール部材３０は、枠体１３の、突起１９ａ、２１ａに対して脱衣室側に固定され、開口１３ａを閉じたときに、突起１９ａ、２１ａに対して浴室側にて突起１９ａ、２１ａと当接する。このため、シール部材３０は、単に吊元扉１４及び移動扉１５に接触しているだけでなく、突起１９ａ、２１ａに対して脱衣室側にて固定され、浴室側にて突起１９ａ、２１ａに当接される。すなわち、シール部材３０は、突起１９ａ、２１ａに対して脱衣室側から浴室側へ回り込むように配置されて当接されるので、たとえ経時変化等によりシール部材３０にへたりや変形が生じても戸先框１９及び吊元框２１の外周面１９ｂ、２１ｂから離れにくい。よって、より優れたシール性を備えた建具１を提供することが可能である。
【００３２】
また、開口１３ａを閉じたときには、シール部材３０は、シール固定部１２ｃから離れる方向に突起１９ａ、２１ａにより付勢されつつ係合されているので、開口１３ａが閉じられた状態では、突起１９ａ、２１ａによりシール部材３０が引っ張られるように付勢されて係合されている。このため、より確実に係合されるのでより高いシール性を備えることが可能である。
【００３３】
また、枠体１３に回動自在に支持された吊元扉１４及び移動扉１５と枠体１３との間に設けられた間隙の幅ｗより広い幅に突出する突出片１２ｂの先端側に固定されたシール部材３０の見込み方向に延出された延出部３０ｂより縦枠１２側にてシール部材３０が突起１９ａ、２１ａと係合するので、シール部材３０は、より確実に引っ張られた状態にて係合される。このため、開口１３ａを閉じたときに、より高いシール性を備える建具１を提供することが可能である。
【００３４】
また、シール部材３０が嵌合部３０ａ側の延出部３０ｂと、突起１９ａ、２１ａと係合される係合部３０ｅとの間に、突起１９ａ、２１ａを有する戸先框１９及び吊元框２１の外周面１９ｂ、２１ｂに当接される湾曲部３０ｄを有しているので、シール部材３０は単に突起１９ａ、２１ａと係合しているだけでなく、湾曲部３０ｄにてもシールする。このため、より高いシール性を備えることが可能である。
【００３５】
また、シール部材３０は、係合部３０ｅおよび湾曲部３０ｄとは別に、延出部３０ｂの先端３０ｇが、開口１３ａの中央側にて突起１９ａ、２１ａを有する戸先框１９及び吊元框２１の外周面１９ｂ、２１ｂに当接されるので、更に高いシール性を備えることが可能である。
【００３６】
また、シール部材３０の、突出片１２ｂに固定されている嵌合部３０ａは、延出部３０ｂ、湾曲部３０ｄ、及び、係合部３０ｅよりもより硬質なので、より確実に固定することが可能であり、延出部３０ｂ、湾曲部３０ｄ、及び、係合部３０ｅは嵌合部３０ａより軟質なので、突起１９ａ、２１ａと係合する係合部３０ｅ、外周面１９ｂ、２１ｂに当接する湾曲部３０ｄなど、係合及び当接される突起１９ａ、２１ａ及び外周面１９ｂ、２１ｂに沿わせてより確実に当接させてシール性を向上させることが可能である。
【００３７】
上記実施形態にてシール部材３０の一実施例となる形状について説明したが、これに限らず、図４〜図６に示す変形例のようなで形状であっても構わない。上記のように戸先框１９及び吊元框２１とシール部材３０とのシール構造は、左右対称形状なので、変形例では、吊元框２１側についてのみ説明する。
【００３８】
シール部材の第１変形例は、例えば、図４に示すように、吊元框２１の形状が上記の吊元框２１と相違し、突起２１ａが吊元框２１の外周面２１ｂから突出するように設けられており、凹部２１ｃは設けられていない。縦枠１２は、上記実施形態と同じである。そして、シール部材３０は、嵌合部３０ａから見込み方向に沿って設けられた延出部３０ｂは、吊元框２１の外周面２１ｂに近接することなく、その先端に、折戸２２が展張された状態の吊元框２１が有する突起２１ａに向かって延びるように傾斜部３０ｈが形成されている。傾斜部３０ｈの先端には、突起２１ａと係合する係合部３０ｅが設けられており、係合部３０ｅの先端に、吊元框２１の外周面２１ｂに当接される当接面３０ｉを有する当接部３０ｊが設けられ、当接部３０ｊの先端は、縦枠１２側に丸められている。
【００３９】
シール部材の第２変形例は、例えば、図５に示すように、吊元框２１の形状は、上記実施形態と同じであるが、縦枠１２には、枠壁部１２ａにシール固定部１２ｃが設けられている。そして、シール部材３０は、嵌合部３０ａから見込み方向に沿って延出部３０ｂが設けられ、延出部３０ｂの先端に、吊元框２１の凹部２１ｃに入り込んで突起２１ａと係合する係合部３０ｅが設けられている。
【００４０】
シール部材の第３変形例は、例えば、図６に示すように、吊元框２１の形状は、第１変形例と同じであり、縦枠１２は、第２変形例と同じである。そして、シール部材３０は、第２変形例と同様に、嵌合部３０ａから見込み方向に沿って延出部３０ｂが設けられ、延出部３０ｂの先端には、第１変形例と同様に、突起２１ａと係合する係合部３０ｅが設けられており、係合部３０ｅの先端に、吊元框２１の外周面２１ｂに当接される当接面３０ｉを有する当接部３０ｊが設けられ、当接部３０ｊの先端は、縦枠１２側に丸められている。
【００４１】
上記実施形態においては、いずれも吊元扉１４及び移動扉１５または戸先框５ａ側に突起１９ａ、２１ａ、５ｂが設けられ、縦枠１２側にシール部材３０、３１が設けられている例について説明したが、吊元扉及び移動扉または戸先框側にシール部材が、縦枠側に突起が設けられていても構わない。
【００４２】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  建具、３  建具、５  障子、５ａ  戸先框、５ｂ  突起、５ｃ  召合框、
５ｄ  突起、１２  縦枠、１２ｂ  突出片、１２ｃ  シール固定部、１３  枠体、
１３ａ  開口、１４  吊元扉、１５  移動扉、１９  戸先框、１９ａ  突起、
１９ｂ  外周面、２１  吊元框、２１ａ  突起、２１ｂ  外周面、２２  折戸、
３０  シール部材、３０ａ  嵌合部、３０ｂ  延出部、３０ｃ  側部、３０ｄ  湾曲部、
３０ｅ  係合部、３０ｇ  延出部の先端、３１  シール部材、３１ａ  係合部、
Ｏ  回動中心
【図１】
2014152509.tif 000003
【図２】
2014152509.tif 000004
【図３】
2014152509.tif 000005
【図４】
2014152509.tif 000006
【図５】
2014152509.tif 000007
【図６】
2014152509.tif 000008